【手続補正書】
【提出日】平成28年6月8日(2016.6.8)
【手続補正１】
【補正対象書類名】特許請求の範囲
【補正対象項目名】請求項１
【補正方法】変更
【補正の内容】
【請求項１】
駆動源（Ｅ）から出力された回転駆動力を駆動対象装置（２）へ伝達する動力伝達装置であって、
前記回転駆動力によって回転する駆動側回転体（２１）と、
前記駆動対象装置（２）の回転軸（２ａ）とともに回転する従動側回転体（２２、２４、２５）と、
前記回転軸（２ａ）の垂直方向に広がる板状に形成されて、前記駆動側回転体（２１）および前記従動側回転体（２２…２５）の少なくとも一方に連結された連結部材（２６）と、を備え、
前記連結部材（２６）は、前記回転軸（２ａ）の回転方向および軸方向に弾性変形可能に形成された板状弾性部材であり、
前記連結部材（２６）には、前記回転軸（２ａ）の軸方向から見たときに、表裏を貫通する連結部材側貫通穴（２６ｃ）が形成されており、
前記従動側回転体（２２…２５）は、前記回転軸（２ａ）の軸方向から見たときに、前記連結部材側貫通穴（２６ｃ）と重合して配置される連結部材用重合部（２２ａ）を有するインナーハブ（２２）を含んで構成されており、
前記連結部材（２６）と前記インナーハブ（２２）との前記軸方向の距離が、前記インナーハブ（２２）の前記軸方向の厚み寸法よりも小さいことを特徴とする動力伝達装置。
【手続補正２】
【補正対象書類名】特許請求の範囲
【補正対象項目名】請求項４
【補正方法】変更
【補正の内容】
【請求項４】
駆動源（Ｅ）から出力された回転駆動力を駆動対象装置（２）へ伝達する動力伝達装置であって、
前記回転駆動力によって回転する駆動側回転体（２１）と、
前記駆動対象装置（２）の回転軸（２ａ）とともに回転する従動側回転体（２２、２６、４０）と、
前記従動側回転体（２２…４０）と前記駆動側回転体（２１）とを連結させる電磁力を生じさせる電磁石（３０）と、
前記従動側回転体（２２…４０）と前記駆動側回転体（２１）が連結する際の衝撃を緩和する緩衝部材（５０）と、を備え、
前記従動側回転体（２２…４０）は、前記電磁力によって前記駆動側回転体（２１）に連結されるアーマチュア（４０）、および前記アーマチュア（４０）に対して前記回転軸（２ａ）の軸方向の荷重をかけるプレート（２６）を有し、
前記アーマチュア（４０）には、前記回転軸（２ａ）の軸方向から見たときに、表裏を貫通する従動側貫通穴（４０ａ）が形成されており、
前記プレート（２６）には、前記回転軸（２ａ）の軸方向から見たときに、表裏を貫通するプレート貫通穴（２６ａ）が形成されており、
前記緩衝部材（５０）は、前記回転軸（２ａ）の軸方向から見たときに、前記従動側貫通穴（４０ａ）と重合して配置される従動側回転体用重合部（５０ａ）を有し、
前記従動側回転体用重合部（５０ａ）は、前記回転軸（２ａ）の軸方向から見たときに、前記プレート貫通穴（２６ａ）の全域に亘って拡がって前記プレート貫通穴（２６ａ）を塞いだ状態で、前記従動側貫通穴（４０ａ）と重合して配置されていることを特徴とする動力伝達装置。
【手続補正３】
【補正対象書類名】明細書
【補正対象項目名】０００７
【補正方法】変更
【補正の内容】
【０００７】
本発明は、上記目的を達成するために案出されたもので、請求項１に記載の発明では、駆動源（Ｅ）から出力された回転駆動力を駆動対象装置（２）へ伝達する動力伝達装置であって、
回転駆動力によって回転する駆動側回転体（２１）と、駆動対象装置（２）の回転軸（２ａ）とともに回転する従動側回転体（２２、２４、２５）と、回転軸（２ａ）の垂直方向に広がる板状に形成されて、駆動側回転体（２１）および従動側回転体（２２…２５）の少なくとも一方に連結された連結部材（２６）と、を備え、
連結部材（２６）は、回転軸（２ａ）の回転方向および軸方向に弾性変形可能に形成された板状弾性部材であり、連結部材（２６）には、回転軸（２ａ）の軸方向から見たときに、表裏を貫通する連結部材側貫通穴（２６ｃ）が形成されており、従動側回転体（２２…２５）は、回転軸（２ａ）の軸方向から見たときに、連結部材側貫通穴（２６ｃ）と重合して配置される連結部材用重合部（２２ａ）を有するインナーハブ（２２）を含んで構成されており、連結部材（２６）とインナーハブ（２２）との軸方向の距離が、インナーハブ（２２）の軸方向の厚み寸法よりも小さいことを特徴とする。
【手続補正４】
【補正対象書類名】明細書
【補正対象項目名】０００８
【補正方法】変更
【補正の内容】
【０００８】
ここで、本請求項におけるインナーハブ（２２）は、駆動源（Ｅ）から出力された回転駆動力を駆動対象装置（２）へ伝達するために必須の構成である。
【手続補正５】
【補正対象書類名】明細書
【補正対象項目名】０００９
【補正方法】変更
【補正の内容】
【０００９】
従って、本請求項に記載の発明によれば、必須の構成であるインナーハブ（２２）が連結部材用重合部（２２ａ）を有しているので、部品点数の増加を招くことなく、連結部材（２６）に形成された連結部材側貫通穴（２６ｃ）を覆うことができる。これにより、部品点数の増加を招くことなく、連結部材側貫通穴（２６ｃ）を介して、動力伝達装置の内部へ異物が侵入してしまうことを抑制できる。
【手続補正６】
【補正対象書類名】明細書
【補正対象項目名】００１１
【補正方法】変更
【補正の内容】
【００１１】
このような板状弾性部材（２６）では、一般的に、充分な弾性変形量を確保するために、表裏を貫通する連結部材側貫通穴（２６ｃ）が形成される。さらに、連結部材側貫通穴（２６ｃ）の形状は、充分な弾性変形量を確保するために適切な形状に形成される。これに対して、インナーハブ（２２）が連結部材用重合部（２２ａ）を有していることは、連結部材側貫通穴（２６ｃ）の形状によらず、動力伝達装置の内部への異物の侵入を抑制できる点で有効である。
【手続補正７】
【補正対象書類名】明細書
【補正対象項目名】００１２
【補正方法】変更
【補正の内容】
【００１２】
また、請求項４に記載の発明では、駆動源（Ｅ）から出力された回転駆動力を駆動対象装置（２）へ伝達する動力伝達装置であって、
回転駆動力によって回転する駆動側回転体（２１）と、駆動対象装置（２）の回転軸（２ａ）とともに回転する従動側回転体（２２、２６、４０）と、従動側回転体（２２…４０）と駆動側回転体（２１）とを連結させる電磁力を生じさせる電磁石（３０）と、従動側回転体（２２…４０）と駆動側回転体（２１）が連結する際の衝撃を緩和する緩衝部材（５０）と、を備え、
従動側回転体（２２…４０）は、電磁力によって駆動側回転体（２１）に連結されるアーマチュア（４０）、およびアーマチュア（４０）に対して回転軸（２ａ）の軸方向の荷重をかけるプレート（２６）を有し、アーマチュア（４０）には、回転軸（２ａ）の軸方向から見たときに、表裏を貫通する従動側貫通穴（４０ａ）が形成されており、プレート（２６）には、回転軸（２ａ）の軸方向から見たときに、表裏を貫通するプレート貫通穴（２６ａ）が形成されており、
緩衝部材（５０）は、回転軸（２ａ）の軸方向から見たときに、従動側貫通穴（４０ａ）と重合して配置される従動側回転体用重合部（５０ａ）を有し、従動側回転体用重合部（５０ａ）は、回転軸（２ａ）の軸方向から見たときに、プレート貫通穴（２６ａ）の全域に亘って拡がってプレート貫通穴（２６ａ）を塞いだ状態で、従動側貫通穴（４０ａ）と重合して配置されていることを特徴とする。